(57)【要約】      （修正有）【課題】アーチェリーに用いる弓具のプランジャーの形状の変更により、弓矢が的に当たる確率を上げることが出来るアーチェリー用プランジャーを提供する。【解決手段】プランジャーアッシー１００に使用する円筒形のチツプ部に、ボール７、８、９を組合せる。矢（シャフト）と直接に接触するボール（大）９には、一定の圧力を保持するためにコイルバネ６を使用し、ボール（大）がプランジャー本体３から飛び出さない様にプランジャー端にて外部からカシメ（イ部）ている。尚、ボール（大）は、フッソ樹脂材を使用し、すべり接触から  ころがり接触にした。【選択図】図２
0003175621.tif 000002
【実用新案登録請求の範囲】
【請求項１】
アーチェリーの矢のガイドをするハンドル部に取付けて使用する弓具のプランジャー  アッシーにおいて、
イ）矢と接触するプランジャーの本体の端部にボール（大）を使用し、
ロ）プランジャー本体の外側に、アーチェリーに取付け用のネジを設け、
ハ）プランジャーの内側には、バネ、ボール（  大、中、小）と調整軸がおさまる大きさ    の中空の孔を形成し、
ニ）プランジャー端部に、プランジャーの外側のネジに螺合せる  ノブ  ナットを使用し    、
ホ）ノブ  ナットの内側のネジは、コイル  バネの張力を調整する調整軸の一端部に  ネ    ジを持ち  調整軸のネジと螺合させ、
以上の構成によりなることを特徴とする弓具の  プランジャー  アッシー。
【請求項２】
イ）アーチェリーの  矢のガイドをするハンドル部に取付け使用の  弓具のプランジャー    アッシーに使用の  矢に接するボールの材質を  「ふっ素樹脂（商品名；テフロン材    ）」を使用することを特徴とする、
請求項１の  弓具の  プランジャー  アッシー。
【請求項３】
イ）アーチェリーのプランジャー  アッシーのプランジャー本体を  ハンドルに取付けた    時の弛み止めに蝶ナットを使用し、
ロ）コイル  バネの張力を調整する  つまみネジの弛み防止に  蝶ナットを用いる、
ことを特徴とする、
請求項１の  弓具の  プランジャー  アッシー。
【考案の詳細な説明】
【技術分野】
【０００１】    本考案は、アーチェリー（洋弓）用プランジャーに関するものである。
【背景技術】
【０００２】  アーチェリーに用いる弓具のプランジャーの形状・構成により弓矢の的への当り確率を高くすることが出来れば理想である。
近年は、趣味と健康上からしてアーチェリーの人口がふえてきている。
【考案の概要】
【考案が解決しようとする課題】
【０００３】  プランジャーは、矢をまっすぐに飛ばすための道具である。１９７２年に使用が認められ  中にバネが入っており、矢を発射したとき、パラドック（蛇行）現象によってプレツシャーポイントを圧追する。そしてバネで圧力を弱めパラドックスを小さくするという機能がある。このプランジャーも射手によって多少異なるため自分にあった調節をする必要がある。
従来の多くのプランジャーは、図６（ｂ）に示すように矢の外周とプランジャーの先端に使用される円筒形のテフロン材のものが線接触した格好で使われている。
この為にテフロンのチツプ材を長く使用の時は、プランジャーの先端の  テフロン材がすり減りする。
この磨耗対策に  油をつけると埃がつき性能が変わる。
尚、レストをつける時にチップのテフロン材の中心が、図６（ｂ）に示すようにして使用する。
【課題を解決するための手段】
【０００４】  本考案は、前記の様な従来の課題に対応するために、プランジャーの構成を従来と変えることで弓矢の  的に当る確率を良くすることで性能アップとなり  しかも、使用時の耐久性のアップも兼ね備えたものである。
【考案の効果】
【０００５】  本考案のプランジャーアッシー（１００）の構成を従来のものと変えることにより、即ち、矢に接触するプランジャーの先端部に使う円筒形のピン（チツプ）をテフロン材のボール〈大〉とボール〈中〉の間に、鋼球のボール〈小〉をプランジャーの内側にセットして使用する。尚、ボール〈中〉の側面に、コイル  バネを調整軸にてバネ荷重を適切な荷重にネジ螺合にて行うことが出来るように構成した。よって  従来の問題点を解消することが出来きて、下記のごとく効果を発揮する。
イ）矢（シャフト）の外周とプランジャーの接触が  線接触から点接触（図２参照）にな    り、プランジャーの先端部の円筒形のテフロン材の線磨耗が点接触の球面磨耗になり    、耐久性が増す。
ロ）矢（シャフト）とプランジャーの接触する部が、点接触のころがり接触になったため    矢の進行に与える影響（☆印）が、殆どなくなり矢の的に当る命中率がアップする。
☆印：  即ち、すべり摩擦力  Ｆ  ＝  ＫＷ、  ころがり摩擦力  ｆ  ＝  ｋｗ
但し、  Ｋ、ｋ、、、各  摩擦係数，Ｗ、ｗ、、、コイル  バネの各  作用力
ハ）プランジャーのチツプ  のテフロン材の磨耗が、従来品は矢（シャフト）との線接触    の磨耗があり、耐久性も  的に当る  命中率もよくなかったが、
本考案のものは、ボール〈大〉、ボール〈中〉、ボール〈小〉との互いの接触が、    ころがり接触のために、即ち、従来とは異なり、ボール〈大〉と矢との外周部との接    触がすべり接触から  ころがり接触になる。
よって、バネの再調整の必要性が少なくなり、勿論、矢の進行方向への影響が少な    いために命中率のアップとなる。
ニ）コイル  バネの調整時は、簡単に  つまみネジ１３、蝶ナット１４にて簡単に出来る    。
（第７図の  第２実施例のとき）
【図面の簡単な説明】
【０００６】
【図１】  本考案のアーチェリーに使用するプランジャー  アツシーの外観図である。
【図２】  本考案図１の断面Ａ−Ａである。
【図３】  本考案の図１の主要部の詳細  （ａ）プランジャー本体  （ｂ）調整軸  （ｃ）ノブ  ナット（片面断面図）
【図４】  従来のアーチェリー本体部にプランジャー  アッシーの取付関係図（Ａ）  （ａ）アーチェリー本体部に矢とプランジャー  アッシーの取付関係  （ｂ）従来のプランジャーの外観
【図５】  従来のアーチェリー本体部にプランジャー  アツシーの取付例（Ｂ）
【図６】  従来の（ａ）アーチェリー本体の各部の名称（ツイン  スタビライザー型の例）  （ｂ）従来の矢の弦（６１）とプランジャー（１００）と弓の中心との取付け関係の位置図
【図７】  本考案の第２実施例  （ａ）プランジャーアツシー〈一部  片面断面図〉  （ｂ）プランジャー本体（片面  断面図）
【考案を実施するための形態】
【０００７】  アーチェリー（５０）に使用する本考案の  プランジャー  アッシー（１００）について説明するに当って、関係する取り使う場所について  概要を以下に説明する。
アーチェリーの外観〈側面図〉を示すと  図６（ａ）の様である。
ハンドル（５１）の両側に上リム（５３）と下リム（５４）が張り出している。リムの両側の端部に弦（ストリング）を取付けたものであり、ハンドル部にスタビライザー（６６）（図は、ツイン  タイプを示した〉が取り付けてある。
的を狙うために、使用するサイト（６４）も装着して使用する。
【０００８】矢（５５）は、丸棒状のストレートのシャフト（５６）の先端にポイント〈５７〉が取付られている。矢の  後端部にフエザー（５８）が装着され、矢の端部に切り込み部のノック（６９）を  弦（６１）に当てて使用する概要図を  図６（ａ）に示した。
尚、本考案の  プランジャーアッシー（１００）の取付状況を  図６（ｂ）に示した。
【０００９】  図４から図６は、アーチェリーの主要部にプランジャー  アッシー（１００）を取付て的に狙いをするときに、プランジャー  アッシーの取り付けの詳細図を示した。
理解を容易にするために記載した。
尚、プランジャー  アッシーを取付る時のアーチェリーの関係する部所を従来と比較してみると解るように  本考案は、プランジャー  アッシーにて従来品と互換性がある取付け仕様（ネジを同じサイズ）にして、耐久性の品質向上並び矢の進路の安定性問題部のみを改良した考案にした。
【００１０】  図６に示す、従来のプランジャー  アッシーは、ノブナット（１ｃ）の内側のネジと調整軸（２）は、螺合し、プランジャー本体３の外径のネジ（３ｇ）は  アーチェリーのハンドル部の取付けネジ（図示なし）と螺合する。
このとき  プランジャー本体の弛み防止のために  固定ナットにて固定する。
従来の問題点は、プランジャー９の先端部が、円筒形状のチツプとアーチェリーの矢（シャフト（５６））にて半円型に削れるので、このプランジャーのチップの擦り減った部分のみを交換をしてアーチェリーの競技又は  練習を行なつているのが現状である。
よって、磨耗により交換するたびに  矢（シャフト）の外周とチツプとの接触隙間の微動の調整をその都度を行っていた。
【００１１】    以下  本考案は、図１に示すように、アーチェリー矢（シャフト５６）にてプランジャーのチップの擦り減りによる弊害を解消するための構成である。
基本的な考え方は、矢（シャフト）の外周と従来の円筒形のチツプとの接触が「線接触」だつた。  矢を放した後の矢の進路で  的を命中する確率が高くなる発想は、従来の「すべり接触」からボール（大・中・小）の組合せの構成にて「転がり接触」に切替えする発想であるのがポイントである。
【００１２】  これに伴い  従来のチツプのすべり磨耗による矢に影響する圧力が、当初と  矢を的に放す使用回数の最後とは異なり  的に放す使用感覚がかわってくるので  的に当る確率に変化をきたした。
従来品は、磨耗による隙間の補正のために、その都度  調整軸（２）のネジ込みなどの補正が必要であったが、  本考案のものはボール構成式にしたのでその手間がなくなる。
【００１３】  図１は、本考案のプランジャー  アッシー１００の第１実施例である構成を示す。
１は、調整ネジ２と螺合せる  アルミ材又は鋼材にて製作のノブ  ナットである。
尚、外周にはプランジャー本体３の位置決め溝３ｆに  止ネジ嵌合用のネジをもち、    反対側には  固定ネジ１１ｂ（規格品の孔付ネジ）用のネジを設けている。
２は、外部には  コイル  バネ６の張力を軽重するためのもので、ノブ  ナット１と螺合    するネジ２ａを一端にもっている。
３は、本考案のポイントであるプランジャー  は、外部にアーチェリー（弓体）のハンド    ル５１に取り付けのネジをもっている。
内側にはボール（大）９に圧を加えるために  コイル  バネ６にて行う。
尚、矢と接触する  ボール（大）９との摩擦接触抵抗の影響を少なくするために、  ボール〈中〉８及び  ボール（小）７の３種類を併用している。
他端は、コイル  バネ６を圧縮ためのストレート（軸筒）の形状をしており、軸筒の中  程には  ゴム材にて製作のＯ（オー）リング溝２ｃを設けている。なお、
外周にはプランジャー本体３の位置決め溝３ｆに止ネジ嵌合用の鍔３ｅを持つている。
４は、断面がＯ型形状した輪状のゴム材を使用したＯ（オー）リングである。
５は、プランジャー本体３を  アーチェリーの弓に装着時の弛み止めの為に使用する固定    ナットで、アルミ材  又は鋼製にて出来ている。
尚、固定ナットの外部に、ネジの弛み防止の止めネジ（１１ａ）用のネジを持って    いる。
【実施例】
【００１４】    以下、添付図に従って実施例を説明する。
１００は、本考案の  アーチェリーに使用の  プランジャー  アッシーである。
１は、調整ネジ（２）と螺合するネジ１ａを内径にもち、外部には  プランジャー本体３      の位置決め用の嵌め合い溝に嵌り合うための止めネジ（１ｃ）を、また、そのネジ      の反対側にはプランジャー本体を固定すための止めネジ（１ｄ）をもち、アルミ材      又は鋼材にて製作・整形された  ノブ（握り）ナットである。  （図３ｃ参照）
２は、プランジャー本体３の内径にあるコイル  バネ６の張力を調整するために用いる鋼      材にて製作の  調整軸である。
３は、外部には、  ネジ３ｇと円周溝３ｆと鍔３ｅを持ち、内側には、コイル  バネ６の      ハウジングとしての中空径になり、
一端部はボール（大）、ボール（中）のハウジングとなる段差径になっている鋼材      にて製作の  プランジャー本体である。
尚、一端部は、ボール（大）の組みつけ後  ボール脱落防止の為に円錐径に整形      されており、ボール（大）の挿入後に端部を「かしめ」にて整形する。
（図２の  イ部参照）
４は、調整軸とプランジャーとの「ガタ」止め用  ゴム製の  Ｏ（オー）リングである。
５は、アーチェリー（５０）の本体の  ハンドル（５１）にプランジャー  アッシー（１      ００）の取付け後の脱落防止のための  アルミ材  又は鋼材で製作の  固定ナット      である。
尚、固定ナットの外側には、ネジの弛み止めの  止めネジ１１ａをもっている。
６は、アーチェリーの矢（シャフト５６）の外周部と  ボール（大）との接触の圧力の強      さを加減するために用いる鋼材の  コイル  バネである。
７は、プランジャー本体内の内側に  ３〜５ケ使用する鋼材の  ボール（小）である。
８は、プランジャー本体内の内側に  使用する鋼材・又はフッソー樹脂材の  ボール（中      ）である。
尚、ボール（大）と矢のシャフトとの接触をころがり接触にする為に用いる。
９は、アーチェリーの矢（シャフト５６）の外側と接触する  ボールで、矢の進路に影響      を少なくするために  摩擦係数の少ない材質のフッ素樹脂（商品名；テフロン）材      を使用の  ボール（大）であり、尚、矢の進路の性能に影響する  鋼とテフロン樹      脂との摩擦係数は、０．０９（計測値）で特に小さい値のものを使用した。
よって、ボール（球体）とフッソ樹脂材の採用で矢のシャフトに与える  総合的な      摩擦力が、従来より格段の小値（約１／４）となり、矢の進路の阻害をなくした。【００１５】１１は、ネジの弛み止めの為に用いるもので、鋼材にて製作の  止めネジである。
１１ａ    止めネジ（ａ）  、、、プランジャー  ナット用、
１１ｂ    止ネジ（ｂ）  、、、ノブ  ナット用
１２は、プランジャー本体（３）の位置決め用の溝に嵌合しての鋼材の  止ネジである。
１３は、鋼材にて製作されている（規格品の）つまみネジである  、、、図７（ａ）参照
１４は、鋼材にて製作されている（規格品の）  蝶ナット（ａ）、  蝶ナット（ｂ）であ      る。                                                        図７（ａ）参照【００１６】  下記は、アーチェリー５０の用具の  プランジャー  アッシーを説明するために使用の名称をのべる。  尚、使用目的  又は、機能説明は、省略した。
５０は、アーチェリー  又は、洋弓
５１は、ハンドル
５２は、グリップ
５３は、上リム
５４は、下リム
５５は、矢
５６は、シャフト
５７は、ポイント
５８は、フェザー
５９は、レスト  又は  アロレスト【００１７】６１は、  弦  又は、ストリング
６３は、  ノッキング  ポイント
６４は、  サイト
６５は、  クリッカ【００１８】６６は、  （ツイン型の）スタピライザー
６８は、  ハンドルライザー
６９は、  ノック
【符号の説明】
【００１９】  以下、添付図に従って実施例を説明する。
１００は、  アーチェリー（洋弓）用の  プランジャー  アッシー
１は、ノブ  ナット
２は、調整軸
３は、プランジャー本体
４は、Ｏ（オー）リング
５は、固定ナット
６は、コイル  バネ
７は、ボール（小）
８は、ボール（中）
９は、ボール（大）【００２０】１１は、止ネジ、      １１ａ  止めネジ（ａ）、      １１ｂ  止ネジ（ｂ）
１２は、止ネジ
１３は、つまみネジ
１４は、蝶ナット、    １４ａ    蝶ナット（ａ）、    １４ｂ    蝶ナット（ｂ）【００２１】５０は、アーチェリー（洋弓）
５１は、ハンドル
５２は、グリップ
５３は、上リム
５４は、下リム
５５は、矢
５６は、シャフト
５７は、ポイント
５８は、フェザー
５９は、レスト  又は、アロレスト【００２２】６１は、  弦  又は、ストリング
６３は、  ノッキング  ポイント
６４は、  サイト
６５は、  クリッカ【００２３】６６は、  （ツイン）スタピライザー
６８は、  ハンドルライザー
６９は、  ノック
【図１】
0003175621.tif 000003
【図２】
0003175621.tif 000004
【図３】
0003175621.tif 000005
【図４】
0003175621.tif 000006
【図５】
0003175621.tif 000007
【図６】
0003175621.tif 000008
【図７】
0003175621.tif 000009